(57)【特許請求の範囲】
【請求項１】
電路の地絡電流を検出する零相変流器と、この零相変流器の二次出力によって可動鉄心が突出制御される釈放形電磁石装置と、上記可動鉄心の突出に連動して突出し漏電が発生したことを表示する漏電表示釦とを備えた漏電検出装置において、上記可動鉄心の突出により作動して上記釈放形電磁石装置の励磁回路を切るようになされたスイッチと、上記漏電表示釦の突出により作動して上記釈放形電磁石装置の励磁回路を切るようになされたスイッチとを有する焼損防止スイッチを設け、上記焼損防止スイッチは、互いに接触する接点の内、一方の接点が可動鉄心の突出により作動して他方の接点から開離され、上記他方の接点が漏電表示釦の突出により作動して上記一方の接点から開離するように構成されたものであることを特徴とする漏電検出装置。
【発明の詳細な説明】
【０００１】
【発明の属する技術分野】
この発明は、例えば漏電遮断器並びに漏電リレーにおいて、特に、地絡発生時に漏電が発生したことを表示する漏電表示釦を備えた漏電検出装置に関するものである。
【０００２】
【従来の技術】
図７は、例えば特開平８−１８０７９２号公報に示されたものと類似の従来の漏電遮断器を示す電気回路図である。図において、１は電源を接続する電源端子、２は負荷を接続する負荷端子、３は電源端子１と負荷端子２を接続する電路、４は電路３に流れる地絡電流を検出する零相変流器、５は零相変流器４の二次出力を増幅してそのレベルを判別する増幅器、６は増幅器５の判別信号によりスイッチングするサイリスタ、７はサイリスタ６により制御される釈放形の電磁石装置、８は電路３に漏電が発生したことを表示する漏電表示釦、９は電磁石装置７のコイルの焼損を防止する焼損防止スイッチ、１０は漏電テストスイッチであり、テスト釦を押下げることにより人為的に擬似不平行電流を零相変流器４に流すものである。１１は漏電テストにより流れる擬似不平行電流を抑制調整するテスト抵抗である。
【０００３】
図８は、従来の漏電検出装置の要部を示す構成図である。図において、１２は釈放形電磁石装置７（以下電磁石装置７という）の可動鉄心、１３は鉄心ばねであり、電磁石装置７に電流が流れてコイル７ａが励磁され、可動鉄心１２と永久磁石（図示せず）の間に作用している吸着力が打消されたとき、可動鉄心１２を矢印Ａ方向へ釈放して突出させるように可動鉄心１２を付勢している。１４は漏電表示釦８の係合部８ａと係合しているラッチ、１５はラッチ１４を復帰させるように矢印Ｅ方向に付勢するラッチばね、１６は漏電表示釦８を矢印Ｂ方向へ突出させるように付勢する釦ばねである。１７は漏電表示釦８の動作に連動して接触または開離するテストオフ板、１８はテストオフ板１７が配設されている基板、１９はテストオフ板１７と対向して設けられたテストオフ固定接点である。なお、テストオフ板１７と基板１８とテストオフ固定接点１９とにより焼損防止スイッチ９が構成されている。
【０００４】
従来の漏電検出装置は上記のように構成され、例えば地絡発生時において、零相変流器４が地絡電流を検出し、その検出信号は増幅器５により検出、増幅されサイリスタ６をオンし、電磁石装置７のコイル７ａが励磁される。この励磁により可動鉄心１２と永久磁石（図示せず）間に作用する吸着力が打消されるので、可動鉄心１２が鉄心ばね１３の付勢力により釈放され、そして突出してラッチ１４を矢印Ａ方向へ押込む。この押込みによりラッチ１４は矢印Ｆ方向に回動し、ラッチ係合部１４ａと釦係合部８ａとの係合を外し、釦ばね１６により漏電表示釦８を矢印Ｂ方向へ突出させて漏電が生じたことを表示する。この表示と共に、釦アーム部８ｃにより可動鉄心１２を矢印Ｃ方向へ押上げ、元の状態に復帰させる。この時、漏電表示釦８の押圧部８ｂにより押圧されていたテストオフ板１７がテストオフ固定接点１９から開離されて、焼損防止スイッチ９をオフさせ、地絡発生が続いていても、電磁石装置７のコイル７ａには電流が流れなくなり、電磁石装置７のコイル７ａやサイリスタ６の焼損を防止する。
【０００５】
また、漏電テストのため漏電テストスイッチ１０をオンさせた場合、テスト抵抗１１を通じてテスト回路に電流が流れ、これを増幅器５により検出、増幅されサイリスタ６をオンし、地絡発生時と同様に動作して焼損防止スイッチ９をオフさせる。従って、漏電テストスイッチ１０を押し続けた場合でも、電磁石装置７のコイル７ａには電流が流れなくなり、電磁石装置７のコイル７ａやサイリスタ６の焼損を防止する。
【０００６】
【発明が解決しようとする課題】
上記のような従来の漏電検出装置では、焼損防止スイッチ９はテストオフ板１７が漏電表示釦８の押圧部８ｂの動作によりオン・オフする構成であるため、漏電表示釦８が外力により矢印Ｄ方向へ押圧され、矢印Ｂ方向へ突出することを拘束された状態で地絡が発生したり、あるいは、漏電テストを行った場合、テストオフ板１７が漏電表示釦８の押圧部８ｂにより押され、テストオフ固定接点１９から開離しなくなる。即ち、焼損防止スイッチ９がオン状態のままになり、電磁石装置７に連続して電流が流れるので、電磁石装置７のコイル７ａやサイリスタ６等の電気部品が焼損するという問題点があった。
【０００７】
この発明は上述のような問題点を解決するためになされたもので、漏電表示釦が外力により突出表示することを拘束された状態であっても、焼損防止スイッチをオフすることにより、電磁石装置のコイルに流れる電流をオフし、電磁石装置のコイルやサイリスタ等の電気部品の焼損を防止することができる漏電検出装置を得ることを目的としている。
【０００８】
【課題を解決するための手段】
この発明に係る漏電検出装置においては、電路の地絡電流を検出する零相変流器と、この零相変流器の二次出力によって可動鉄心が突出制御される釈放形電磁石装置と、上記可動鉄心の突出に連動して突出し漏電が発生したことを表示する漏電表示釦とを備えた漏電検出装置において、上記可動鉄心の突出により作動して上記釈放形電磁石装置の励磁回路を切るようになされたスイッチと、上記漏電表示釦の突出により作動して上記釈放形電磁石装置の励磁回路を切るようになされたスイッチとを有する焼損防止スイッチを設け、上記焼損防止スイッチは、互いに接触する接点の内、一方の接点が可動鉄心の突出により作動して他方の接点から開離され、上記他方の接点が漏電表示釦の突出により作動して上記一方の接点から開離するように構成されたものである。
【０００９】
また、焼損防止スイッチは、互いに接触する接点の内、一方の接点が可動鉄心の突出により作動して他方の接点から開離され、他方の接点が漏電表示釦の突出により作動して一方の接点から開離するように構成して、スイッチの構成を簡単にしたものである。
【００１０】
【発明の実施の形態】
実施の形態１．
図１は、この発明の実施の形態１の漏電遮断器を示す電気回路図である。図２は、この発明の実施の形態１を示す漏電検出装置の要部の構成図であり、漏電が発生していない状態を示し、（Ａ）は正面図、（Ｂ）は側面図である。図３は、漏電が発生し漏電検出装置が漏電表示した状態を示す構成図であり、（Ａ）は正面図、（Ｂ）は側面図である。図４は、漏電検出装置の漏電表示釦を拘束した状態にて漏電が発生した状態を示す構成図であり、（Ａ）は正面図、（Ｂ）は側面図である。図５は漏電表示ボタンを示す図であり、（Ａ）は正面図、（Ｂ）は側面図である。図６は固定接触板を示す図であり、（Ａ）は正面図、（Ｂ）は側面図である。
【００１１】
図１〜図４において、１は電源端子、２は負荷端子、３は電路、４は零相変流器、５は増幅器、６はサイリスタ、７は釈放形の電磁石装置、１０は漏電テストスイッチ、１１はテスト抵抗で、これらは従来装置と同様なものであり、その説明を省略する。
【００１２】
図１において、３５は釈放形電磁石装置７（以下電磁石装置７という）のコイルの焼損を防止する焼損防止スイッチ、３６は補助スイッチであり、その構造および動作については後述する。
２８は漏電表示釦であり、図５に示すように、合成樹脂で形成され、釦部２８ａと、ラッチ１４と係合する釦係合部２８ｂと、アーム部２８ｃと、後述する固定接触板３０を挿着する挿入溝２８ｄ等を有している。３０は固定接触板であり、図６に示すように、弾性を有する導電板材を用いてほぼＵ字状の対称形に形成され、固定接点部３０ａと、弾性を有するように湾曲して形成された一対の接触片３０ｂとを有している。固定接触板３０はこの接触片３０ｂの弾性を利用して接触片３０ｂの一方が漏電表示釦２８に形成された挿入溝２８ｄに挿着されている。
【００１３】
図２において、３１は固定端子であり、一端に固定接触板３０の接触片３０ｂに対向して接離するように端子片３１ａが形成され、他端はリード線３１ｂを介して電気的に電磁石装置７と接続されている。３２は可動接触板であり、一端に固定接触板３０の固定接点部３０ａに対向して設けられた可動接点部３２ａを有し、他端はリード線３２ｂによりサイリスタ６を介して増幅器５（図１に示す）と電気的に接続されている。なお、固定接触板３０と可動接触板３２とにより焼損防止スイッチ３５が構成されている。また、固定接触板３０と固定端子３１とにより補助スイッチ３６が構成されている。
【００１４】
上記のように構成された漏電検出装置では、電路３に地絡が発生した場合、あるいは漏電テストスイッチ１０（図１に示す）を押してオンさせた場合、電磁石装置７のコイル７ａに電流が流れ励磁される。この励磁により、可動鉄心１２と永久磁石（図示せず）間に作用する吸着力が打消されるので、可動鉄心１２が鉄心ばね１３の付勢力により釈放されて突出し、図３に示すように、ラッチ１４を矢印Ａ方向へ押込む。このラッチ１４の動きにより、ラッチ係合部１４ａと釦係合部２８ｂとの係合が外れ、釦ばね１６の付勢力により漏電表示釦２８を筐体４０の上面から矢印Ｂ方向へ突出させて、図３に示すように漏電表示する。
【００１５】
これと同時に、釦ばね１６のばね荷重が鉄心ばね１３のばね荷重よりも強く設定されているために、可動鉄心１２は漏電表示釦２８のアーム部２８ｃにより矢印Ｃ方向へ押上げられ、図２と同じ位置へ復帰しリセットされる。
また、このとき、固定接触板３０は漏電表示釦２８の挿入溝２８ｄに挿着されているので、漏電表示釦２８と一体的に矢印Ｃ方向へ押上げられ、固定接触板３０の固定接点部３０ａと可動接触板３２の可動接点部３２ａが開離する。従って、地絡発生が続いた場合、あるいは漏電テストスイッチ１０を押し続けられた場合でも、電磁石装置７のコイル７ａには電流が流れなくなり、電磁石装置７のコイル７ａやサイリスタ６等の焼損を防止することができる。
【００１６】
さらに、図４に示すように、漏電表示釦２８が外力により矢印Ｄ方向へ押込まれ拘束された状態で地絡が発生した場合、あるいは漏電テストスイッチ１０を押し続けてオンさせた場合、電磁石装置７のコイル７ａが励磁され、可動鉄心１２が鉄心ばね１３の付勢力により釈放されて突出する。この可動鉄心１２の突出により、ラッチ１４が矢印Ａ方向へ押込まれるが、このとき、漏電表示釦２８に関係なくラッチ１４を介して可動接触板３２が矢印Ａ方向へ押込まれる。この押込みにより、固定接触板３０の固定接点部３０ａと可動接触板３２の可動接点部３２ａが開離する。従って、地絡発生が続いた場合、あるいは漏電テストスイッチ１０を押し続けられたた場合においても、電磁石装置７のコイル７ａには電流が流れなくなり、電磁石装置７のコイル７ａやサイリスタ６の焼損を防止することができる。
【００１７】
次に、漏電表示釦２８を上記のように拘束している外力が除去された場合について説明する。即ち、漏電表示釦２８が押込まれ拘束された状態では、可動鉄心１２は鉄心ばね１３の付勢力によりラッチ１４を押し続けている。この状態において外力が除去されると、漏電表示釦２８とラッチ１４との係合は外れているので、漏電表示釦２８は釦ばね１６の付勢力により筐体４０の表面より突出して漏電表示する。この突出により可動鉄心１２は元の状態にリセットされるため、ラッチ１４を介して押圧していた可動接触板３２も元の状態に復帰する。しかし、漏電表示釦２８の突出により固定接触板３０の固定接点部３０ａと可動接触板３２の可動接点部３２ａは開離するので、地絡発生が続いた場合、あるいは漏電テストスイッチ１０を押し続けられたた場合でも、電磁石装置７のコイル７ａには電流が流れない。よって、電磁石装置７のコイル７ａやサイリスタ６の焼損を防止することができる。
【００１８】
実施の形態２．
上記実施の形態１における焼損防止スイッチ３５は、互いに接触する接点の内、一方の接点、即ち、可動接触板３２の可動接点部３２ａが可動鉄心１２の突出により作動して他方の接点、即ち、固定接触板３０の固定接点部３０ａから開離され、また、上記固定接触板３０の固定接点部３０ａが漏電表示釦の突出により作動して一方の接点、即ち、可動接触板３２の可動接点部３２ａから開離するように構成されたものを示したが、焼損防止スイッチ３５は、２組のスイッチにより構成してもよい。即ち、可動鉄心１２の突出により開離されるスイッチと、漏電表示釦２８の突出により開離されるスイッチ（例えば従来の技術において示した焼損防止スイッチ９）を直列に接続して構成したものでもよい。
なお、上記実施の形態１においては、補助スイッチ３６も焼損防止スイッチとしての作用をするが、焼損防止スイッチ３５の構成によっては補助スイッチ３６は無くてもよい。
【００１９】
【発明の効果】
この発明は、以上説明したように構成されているので、漏電表示釦を拘束された場合でも、確実に電磁石装置のコイルに流れる電流をオフし、電磁石装置のコイルやサイリスタ等の電気部品の焼損を防止することができる。
【００２０】
また、焼損防止スイッチは、互いに接触する接点の内、一方の接点が可動鉄心の突出により作動して他方の接点から開離され、上記他方の接点が漏電表示釦の突出により作動して上記一方の接点から開離するようにしたので焼損防止スイッチの構成が簡単になり、漏電検出装置の小形化にも効果を発揮する。
【図面の簡単な説明】
【図１】  この発明の実施形態１の漏電検出装置の電気回路図である。
【図２】  この発明の実施形態１の漏電検出装置の要部を示す構成図であり、漏電が発生していない状態を示す。
【図３】  この発明の実施形態１の漏電検出装置の要部を示す構成図であり、漏電が発生し漏電表示した状態を示す。
【図４】  この発明の実施形態１の漏電検出装置の要部を示す構成図であり、漏電表示釦を拘束した状態にて地絡が発生した状態を示す。
【図５】  この発明の実施の形態１の漏電表示釦を示す二面図である。
【図６】  この発明の実施の形態１の固定接触板を示す二面図である。
【図７】  従来の漏電検出装置の電気回路図である。
【図８】  従来の漏電検出装置の要部を示す構成図である。
【符号の説明】
３  電路、４  零相変流器、５  増幅器、６  サイリスタ、
７  釈放形電磁石装置、１２  可動鉄心、２８  漏電表示釦、
３０  固定接触板、３１  固定端子、３２  可動接触板、
３５  焼損防止スイッチ。
【図１】
0004404465.tif 000002
【図２】
0004404465.tif 000003
【図３】
0004404465.tif 000004
【図４】
0004404465.tif 000005
【図５】
0004404465.tif 000006
【図６】
0004404465.tif 000007
【図７】
0004404465.tif 000008
【図８】
0004404465.tif 000009